(57)【要約】【課題】            利用者各自の目線の高さの相違によって表示画面が見にくかったり、あるいは全く視野にも入らないという事態が生じてしまうことである。【解決手段】        情報紹介端末装置は少なくとも情報内容の表示部が位置可変として備えられていることとし、前記位置可変は利用者の目線に対応させて昇降するものであることとし、一部にプリンターを内蔵し、必要情報をペーパーにプリントアウトできることとし、過電流に対応するブレーカーと無停電電源供給装置を有していることとする。【選択図】          図１
2005221846.tif 000002
【特許請求の範囲】
【請求項１】
少なくとも情報内容の表示部が位置可変として備えられていることを特徴とする情報紹介端末装置。
【請求項２】
前記位置可変は利用者の目線に対応させて昇降するものであることを特徴とする請求項１に記載の情報紹介端末装置。
【請求項３】
一部にプリンターを内蔵し、必要情報をペーパーにプリントアウトできることを特徴とする請求項１または請求項２に記載の情報紹介端末装置。
【請求項４】
過電流に対応するブレーカーと無停電電源供給装置を有していることを特徴とする請求項１、請求項２または請求項３に記載の情報紹介端末装置。
【発明の詳細な説明】
【技術分野】
【０００１】
本発明は情報紹介端末装置に関し、特に百貨店、量販店、スーパーマーケット、コンビニエンスストア、駅構内売店あるいは役所等々多くの公共施設に設置され、売場や窓口の案内、各種イベント、その他の種々な情報を表示して利用者に紹介、告知するための情報紹介端末装置の改良に関する。
【背景技術】
【０００２】
一般的に、前記した情報紹介端末装置は約１５０ｃｍ程度の高さを有して床への据え置きタイプとされ、機種によってはロック付きキャスターを備えて容易に移動することができるものとなっている。
【０００３】
また、一般的な表示画面は液晶や発光素子が用いられているが、その表示画面は床面に対して直角かやや上方へ向けて傾斜されて形成されたものとなっている。従って平均的な身長を有する者にとっては表示画面と目線が合致し、読み易いものとされている。
【０００４】
しかしながら、例えば車椅子使用者のハンディキャッパー等のように平均的身長者と目線の高さが異なる者にとって固定された状態の表示画面はいかに広角度から見ることができるとしても極めて見にくく、画面の一部が視野から欠落したり、場合によっては全く見ることができないという事態も生じてしまうものとなっていた。
【特許文献１】本発明について出願人側で先行する技術文献の調査を行なったが、格別に類似すると思われるものは発見できなかった。
【発明の開示】
【発明が解決しようとする課題】
【０００５】
本発明が解決しようとする問題点は利用者各自の目線の高さの相違によって表示画面が見にくかったり、あるいは全く視野にも入らないという事態が生じてしまうことである。
【課題を解決するための手段】
【０００６】
この問題点を解決するために、本発明に係る情報紹介端末装置は少なくとも情報内容の表示部が位置可変として備えられていることを特徴とし、前記位置可変は利用者の目線に対応させて昇降するものであることを特徴とし、一部にプリンターを内蔵し、必要情報をペーパーにプリントアウトできることを特徴とし、過電流に対応するブレーカーと無停電電源供給装置を有していることを特徴としている。
【発明の効果】
【０００７】
本発明に係る情報紹介端末装置は上記した構成とされているので、少なくとも表示画面を位置可変、即ち昇降、左右前後へのスライド、回動、回転及びそれらの動きを組み合せることもできることとしており、利用者は各自にとって見易い位置として表示画面を見ることができるようになり、その可変のための操作も行い易いものとなっている。
【０００８】
また、この情報紹介端末装置はプリンターを一部に備えているので、必要とする情報はペーパーへプリントして持ち帰り、時として残存させておくこともできる。
【０００９】
さらに、ブレーカーを備えていることで過電流による障害からシステムを防護し、無停電電源供給装置を備えていることで常に安定してシステムを作動させることができることとしている。
【発明を実施するための最良の形態】
【００１０】
上記したような目的を達成するために、本発明を図面として示す実施例のように構成することで実現した。
【実施例１】
【００１１】
次に、本発明の好ましい実施の一例を図面を参照して説明する。図１は本発明を実施した情報紹介端末装置を示す斜視図、図２は同じく正面図、図３は同じく右側面図、図４は同じく左側面図、図５は同じく背面図である。
【００１２】
これらの図にあって１は情報紹介端末装置本体を示しており、この情報紹介端末装置本体１は据え台板２を有しており、全体を床面上に据え置き設置するものとされている。
【００１３】
前記した据え台板２は略正方形とされ、その略中央部位にケーシングボディ３が立設されている。このケーシングボディ３の下端後方には端面扇形とされたボックス４が設けられ、このボックス４は一端をビス止めされて着脱自在なカバー５が備えられている。また、このボックス４の左右壁面の上方にはスリット状とした放熱孔６・６が形成されている。
【００１４】
このボックス４には無停電電源供給装置（ＵＰＳ）７が収納されており、一方の側面にはブレーカーを兼ねたパワースイッチ８が設けられ、カバー５の下端略中央位置に通線部９が形成されている。また、前記したケーシングボディ３の前面下端にもビスで止着され着脱自在とされたカバー１０が備えられており、前方側からのメンテナンスも可能なものとしている。
【００１５】
一方、図中１１は情報の表示部を示しており、この表示部１１は前面に表示画面１２を有する画面パート１３と、その画面パート１３に対し左右のブラケット１４を介してビスで一体化された基板ボックス１５とより構成されている。この基板ボックス１５の左右壁面の上方にはスリット状に形成された放熱孔１６・１６が形成され、上面にメンテナンス用のカバー１７が備えられている。
【００１６】
前記した画面パート１３にあって表示画面１２の下方には内蔵されたプリンターからプリントしたロールペーパーをカットしてプリントアウトするためのスリット１９が形成されている。
【００１７】
また、前記した画面パート１３の下面両端寄りには各々ガイドポール２０・２０がその上端を挿し込む形態で取り付けられている。さらに、ケーシングボディ３の前面には回転ハンドル２１が備えられ、その回転ハンドル２１の遊端には操作摘み２２が折り畳み自在に備えられている。
【００１８】
即ち、前記操作摘み２２は使用時に前方へピックアップしてケーシングボディ３の前面に対して直角状態とし、これを摘んで回転ハンドル２１を回転させる。この回転ハンドル２１は内部のギヤ機構を連動させてガイドポール２０・２０を上下動（昇降）させることができるようになっており、このガイドポール２０・２０の動きと同期して表示部１１全体を昇降させることができるものとなっている。
【００１９】
本実施例にあって上記の操作によって表示部１１は最大２５ｃｍ程度の範囲内で昇降でき、ギヤ機構を用いているので任意の位置で停止させることができる。そのため、利用者は各々自分に適した高さ位置で表示画面１２を見ることができ、また、スリット１９からプリントペーパーを受け取ることができるようになる。
【産業上の利用可能性】
【００２０】
上記した実施例によれば回転ハンドル２１を操作してガイドポール２０・２０を介して表示部１１を昇降させることとしたが、この昇降の手段としてこの他にモータ駆動とし、ベルトを利用すること、あるいは油圧系や空圧系を用いることもできる。また、表示部１１の位置可変として昇降のほか、左右、前後へのスライドや傾動、回動等が考えられ、これらの動きを組み合せて動作させることも可能となる。
【図面の簡単な説明】
【００２１】
【図１】本発明を実施した情報紹介端末装置を示す斜視図である。
【図２】正面図である。
【図３】右側面図である。
【図４】左側面図である。
【図５】背面図である。
【符号の説明】
【００２２】
１    情報紹介端末装置本体
２    据え台板
３    ケーシングボディ
４    ボックス
５    カバー
６    放熱孔
７    無停電電源供給装置
８    ブレーカーを兼ねたパワースイッチ
９    通線部
１０  カバー
１１  表示部
１２  表示画面
１３  画面パート
１４  ブラケット
１５  基板ボックス
１６  放熱孔
１７  カバー
１９  スリット
２０  ガイドポール
２１  回転ハンドル
２２  操作摘み
【図１】
2005221846.tif 000003
【図２】
2005221846.tif 000004
【図３】
2005221846.tif 000005
【図４】
2005221846.tif 000006
【図５】
2005221846.tif 000007